(57)【要約】【課題】レンズ光学系の設計の自由度を保ちつつ、且つレンズ鏡筒の巨大化を招くことなく、光学素子の偏心及び傾きを調整することができるレンズ鏡筒を提供する。【解決手段】レンズ鏡筒１００に、レンズ群Ｌ３１を保持する第１のレンズ枠１０６と、第１のレンズ枠１０６を支持するレンズ枠支持部材１０５と、レンズ枠支持部材１０５の周方向の任意の位置であって少なくなくとも３つ以上の位置に当該レンズ枠支持部材１０５を貫通するように形成された合成溝孔１０５Ａに嵌合するとともに、第１のレンズ枠１０６の周方向の任意の位置であって少なくとも３つ以上の位置に取り付けられる円筒部材３０１と、を備え、合成溝孔１０５Ａは、それぞれ開口幅が異なる複数の溝孔１０５Ｄ、１０５Ｅがレンズ枠支持部材１０５の肉厚方向に連通することにより、形成されている。【選択図】図３
2015179238.tif 000002
【特許請求の範囲】
【請求項１】
光学素子を保持するレンズ枠と、
前記レンズ枠を支持する円筒形状のレンズ枠支持部材と、
前記レンズ枠支持部材の周方向の任意の位置であって少なくなくとも３つ以上の位置に当該レンズ枠支持部材を貫通するように形成された合成溝孔に嵌合するとともに、前記レンズ枠の周方向の任意の位置であって少なくとも３つ以上の位置に取り付けられる円筒部材と、
を備え、
前記合成溝孔は、それぞれ開口幅が異なる複数の溝孔が前記レンズ枠支持部材の肉厚方向に連通することにより、形成されている、レンズ鏡筒。
【請求項２】
前記合成溝孔を構成する複数の前記溝孔のうち、少なくとも１つの前記溝孔は、前記レンズ鏡筒の光軸に平行に形成され、少なくとも１つの他の前記溝孔は、前記レンズ枠支持部材の周方向に平行に形成されている、請求項１に記載のレンズ鏡筒。
【請求項３】
前記レンズ枠支持部材の周方向の任意の位置であって少なくとも３つ以上の位置に形成された前記合成溝孔にそれぞれ嵌合する３つ以上の前記円筒部材のうち少なくとも２つの前記円筒部材は、
当該円筒部材の回動軸に同心な同心円筒部と、
当該円筒部材の回動軸に対して偏心している偏心円筒部と、
を備え、
前記光学素子の偏心を調整する場合には、前記偏心円筒部が前記合成溝孔を構成する複数の前記溝孔のうち前記レンズ鏡筒の光軸に平行に形成された前記溝孔に篏合するように前記円筒部材は形成され、
前記光学素子の傾きを調整する場合には、前記偏心円筒部が前記合成溝孔を構成する複数の前記溝孔のうち前記レンズ枠支持部材の周方向に平行に形成された前記溝孔に篏合するように前記円筒部材は形成されている、請求項２に記載のレンズ鏡筒。
【請求項４】
前記レンズ枠支持部材の外周側に位置する前記溝孔の開口幅は、前記レンズ枠支持部材の内周側に位置する前記溝孔の開口幅より大きい、請求項１乃至３の何れか一項に記載のレンズ鏡筒。
【請求項５】
前記レンズ枠支持部材の外周側に位置する前記溝孔は前記レンズ枠支持部材の周方向に平行に形成されており、前記レンズ枠支持部材の内周側に位置する前記溝孔は前記レンズ鏡筒の光軸に平行に形成されている、請求項２乃至４の何れか一項に記載のレンズ鏡筒。
【請求項６】
前記レンズ枠支持部材よりも前記レンズ鏡筒の径方向外側に位置する構成部材を備え、
前記構成部材に、前記レンズ枠支持部材の前記合成溝孔に嵌合された前記円筒部材に対して、前記構成部材の外側から、前記円筒部材を回動させるための所定の専用工具を着脱するための開口部が形成されている、請求項３乃至５の何れか一項に記載のレンズ鏡筒。
【請求項７】
前記レンズ枠支持部材は、前記レンズ鏡筒の光軸方向に移動可能に設けられており、
前記光学素子の偏心又は傾きを調整することによって前記レンズ鏡筒が実装される光学機器の光学性能の指標値が変化する量が所定量より大きい位置に前記レンズ枠支持部材が位置する場合に、前記光学素子の偏心又は傾きを調整するための前記円筒部材に対して前記構成部材の外側から前記専用工具を着脱することができるように、前記構成部材に前記開口部は形成されている、請求項６に記載のレンズ鏡筒。
【請求項８】
撮像素子を保持する撮像素子枠と、
前記撮像素子枠を支持する撮像素子枠支持部材と、
前記撮像素子枠支持部材の周方向の任意の位置であって少なくなくとも３つ以上の位置に当該撮像素子枠支持部材を貫通するように形成された合成溝孔に嵌合するとともに、前記撮像素子枠の周方向の任意の位置であって少なくとも３つ以上の位置に取り付けられる円筒部材と、
を備え、
前記合成溝孔は、それぞれ開口幅が異なる複数の溝孔が前記撮像素子枠支持部材の肉厚方向に連通することにより、形成されている、撮像素子保持構造。
【請求項９】
前記合成溝孔を構成する複数の前記溝孔のうち、少なくとも１つの前記溝孔は、前記撮像素子保持構造の光軸に平行に形成され、少なくとも１つの他の前記溝孔は、前記撮像素子枠支持部材の周方向に平行に形成されている、請求項８に記載の撮像素子保持構造。
【請求項１０】
前記撮像素子枠支持部材の周方向の任意の位置であって少なくとも３つ以上の位置に形成された前記合成溝孔にそれぞれ嵌合する３つ以上の前記円筒部材のうち少なくとも２つの前記円筒部材は、
当該円筒部材の回動軸に同心な同心円筒部と、
当該円筒部材の回動軸に対して偏心している偏心円筒部と、
を備え、
前記撮像素子の偏心を調整する場合には、前記偏心円筒部が前記合成溝孔を構成する複数の前記溝孔のうち前記撮像素子保持構造の光軸に平行に形成された前記溝孔に篏合するように前記円筒部材は形成され、
前記撮像素子の傾きを調整する場合には、前記偏心円筒部が前記合成溝孔を構成する複数の前記溝孔のうち前記撮像素子枠支持部材の周方向に平行に形成された前記溝孔に篏合するように前記円筒部材は形成されている、請求項９に記載の撮像素子保持構造。
【請求項１１】
前記撮像素子枠支持部材の外周側に位置する前記溝孔の開口幅は、前記撮像素子枠支持部材の内周側に位置する前記溝孔の開口幅より大きい、請求項８乃至１０の何れか一項に記載の撮像素子保持構造。
【請求項１２】
前記撮像素子枠支持部材の外周側に位置する前記溝孔は前記撮像素子枠支持部材の周方向に平行に形成されており、前記撮像素子枠支持部材の内周側に位置する前記溝孔は前記撮像素子保持構造の光軸に平行に形成されている、請求項９乃至１１の何れか一項に記載の撮像素子保持構造。
【請求項１３】
表示素子を保持する表示素子枠と、
前記表示素子枠を支持する表示素子枠支持部材と、
前記表示素子枠支持部材の周方向の任意の位置であって少なくなくとも３つ以上の位置に当該表示素子枠支持部材を貫通するように形成された合成溝孔に嵌合するとともに、前記表示素子枠の周方向の任意の位置であって少なくとも３つ以上の位置に取り付けられる円筒部材と、
を備え、
前記合成溝孔は、それぞれ開口幅が異なる複数の溝孔が前記表示素子枠支持部材の肉厚方向に連通することにより、形成されている、電子ビューファインダ。
【請求項１４】
前記合成溝孔を構成する複数の前記溝孔のうち、少なくとも１つの前記溝孔は、前記電子ビューファインダの光軸に平行に形成され、少なくとも１つの他の前記溝孔は、前記表示素子枠支持部材の周方向に平行に形成されている、請求項１３に記載の電子ビューファインダ。
【請求項１５】
前記表示素子枠支持部材の周方向の任意の位置であって少なくとも３つ以上の位置に形成された前記合成溝孔にそれぞれ嵌合する３つ以上の前記円筒部材のうち少なくとも２つの前記円筒部材は、
当該円筒部材の回動軸に同心な同心円筒部と、
当該円筒部材の回動軸に対して偏心している偏心円筒部と、
を備え、
前記表示素子の偏心を調整する場合には、前記偏心円筒部が前記合成溝孔を構成する複数の前記溝孔のうち前記電子ビューファインダの光軸に平行に形成された前記溝孔に篏合するように前記円筒部材は形成され、
前記表示素子の傾きを調整する場合には、前記偏心円筒部が前記合成溝孔を構成する複数の前記溝孔のうち前記表示素子枠支持部材の周方向に平行に形成された前記溝孔に篏合するように前記円筒部材は形成されている、請求項１４に記載の電子ビューファインダ。
【請求項１６】
前記表示素子枠支持部材の外周側に位置する前記溝孔の開口幅は、前記表示素子枠支持部材の内周側に位置する前記溝孔の開口幅より大きい、請求項１３乃至１５の何れか一項に記載の電子ビューファインダ。
【請求項１７】
前記表示素子枠支持部材の外周側に位置する前記溝孔は前記表示素子枠支持部材の周方向に平行に形成されており、前記表示素子枠支持部材の内周側に位置する前記溝孔は前記電子ビューファインダの光軸に平行に形成されている、請求項１４乃至１６の何れか一項に記載の電子ビューファインダ。
【請求項１８】
請求項１乃至７の何れか一項に記載のレンズ鏡筒を備えるカメラ。
【請求項１９】
請求項８乃至１２の何れか一項に記載の撮像素子保持構造をさらに備える請求項１８に記載のカメラ。
【請求項２０】
請求項１３乃至１７の何れか一項に記載の電子ビューファインダをさらに備える請求項１８又は１９に記載のカメラ。
【発明の詳細な説明】
【技術分野】
【０００１】
本発明はレンズ鏡筒、撮像素子保持構造及び電子ビューファインダに関する。
【背景技術】
【０００２】
レンズ鏡筒は、光学レンズを保持するレンズ保持枠を有する。レンズ保持枠は、レンズ保持枠の周方向に等間隔に設けられたピン孔にピンをレンズ鏡筒の外側から係合させることによって、光学レンズを保持する。また、レンズ保持枠の周方向に等間隔に設けられたネジ孔にネジをレンズ鏡筒の外側から螺合させることによって、光学レンズを保持するレンズ保持枠もある。
【０００３】
また、カメラ等で用いられるレンズ鏡筒では、近年の画質向上のニーズに伴って、レンズ保持枠が光学レンズを保持する精度を高めることが求められている。そのため、例えば、特許文献１には、製造誤差によって生じる光学レンズの偏芯および傾きを修正するための調整機能を有するレンズ鏡筒が開示されている。具体的には、特許文献１に記載のレンズ鏡筒は、光学レンズを保持するレンズ保持枠と、レンズ保持枠の周方向に等間隔に設けられ偏心を調整するための第１の溝部と当該第１の溝部に回転可能に圧入される第１の偏心部材と、レンズ保持枠の周方向に等間隔に設けられ傾きを調整するための第２の溝部と当該第２の溝部に回転可能に圧入される第２の偏心部材と、を有している。そして、特許文献１には、第１の溝部に第１の偏心部材を圧入することにより、レンズ保持枠に保持される光学レンズの偏心を調整し、第２の溝部に第２の偏心部材を圧入することにより、レンズ保持枠に保持される光学レンズの傾きを調整する。
【先行技術文献】
【特許文献】
【０００４】
【特許文献１】特開２００７−２１９４０５号公報
【発明の概要】
【発明が解決しようとする課題】
【０００５】
しかしながら、特許文献１では、第１の溝部と第２の溝部とは、光軸方向に沿って隣接して配置する必要がある。高倍率ズームレンズや大口径ズームレンズ等の構成レンズ群が多いレンズ鏡筒では、各レンズ群毎に第１の溝部と第２の溝部とを設けることとなる。さらに、ズームレンズ群を保持するレンズ鏡筒では、ズームに伴ってレンズ鏡筒が移動する際に、各レンズ群毎に設けられたそれぞれの第１の溝部及び第２の溝部が干渉し合わないようにレンズ鏡筒を設計する必要がある。そして、そのようなレンズ鏡筒を設計するために、レンズ光学系の設計が制約されて基本光学性能が劣化してしまったり、鏡筒のサイズが巨大化してしまったりする虞がある。
【課題を解決するための手段】
【０００６】
本発明の第１の形態に係るレンズ鏡筒は、光学素子を保持するレンズ枠と、前記レンズ枠を支持する円筒形状のレンズ枠支持部材と、前記レンズ枠支持部材の周方向の任意の位置であって少なくなくとも３つ以上の位置に当該レンズ枠支持部材を貫通するように形成された合成溝孔に嵌合するとともに、前記レンズ枠の周方向の任意の位置であって少なくとも３つ以上の位置に取り付けられる円筒部材と、を備える。また、前記合成溝孔は、それぞれ開口幅が異なる複数の溝孔が前記レンズ枠支持部材の肉厚方向に連通することにより、形成されている。
【０００７】
本発明の第１の形態に係るレンズ鏡筒によれば、前記合成溝孔を構成する複数の前記溝孔のうち、前記レンズ鏡筒の光軸に平行に形成された前記溝孔に、前記円筒部材の回転軸に対して偏心している円筒部を篏合させて、前記円筒部材を回動させることにより、前記光学素子の偏心を調整しながら、前記光学素子を保持したレンズ枠を前記レンズ枠支持部材に取り付けることができる。また、前記合成溝孔を構成する複数の前記溝孔のうち、前記レンズ枠支持部材の周方向に平行に形成された前記溝孔に、前記円筒部材の回転軸に対して偏心している円筒部を篏合させて、前記円筒部材を回動させることにより、前記光学素子の傾きを調整しながら、前記光学素子を保持したレンズ枠を前記レンズ枠支持部材に取り付けることができる。
【０００８】
換言すれば、前記光学素子を保持する１つの前記レンズ枠に対して、前記レンズ枠支持部材の周方向の任意の位置であって少なくとも３つ以上の位置のそれぞれに、前記レンズ枠支持部材の光軸方向に隣接して、前記光学素子の偏心を調整するための溝孔と、前記光学素子の傾きを調整するための溝孔と、を設けなくても、前記レンズ枠支持部材の周方向の任意の位置であって少なくなくとも３つ以上の位置のそれぞれに、１つの前記合成溝孔を設けるだけで、前記光学素子の偏心及び傾きを調整しながら、前記レンズ枠を前記レンズ枠支持部材に取り付けることができる。
【０００９】
すなわち、前記レンズ枠支持部材の光軸方向に隣接して２つの溝孔を配置する場合に比べて、前記レンズ枠支持部材に設けられる溝孔を少なくすることできるとともに、光学素子の偏心及び傾きを調整することができる。そのため、前記レンズ枠支持部材の光軸方向に隣接して２つの溝孔を配置することによる、レンズ光学系の設計が制約されて基本光学性能が劣化してしまったり、レンズ鏡筒のサイズが巨大化してしまったりすることを防ぐことができる。よって、レンズ光学系の設計の自由度を保ちつつ、且つレンズ鏡筒の巨大化を招くことなく、光学素子の偏心及び傾きを調整することができるレンズ鏡筒を提供することができる。
【００１０】
本発明の第２の形態に係る撮像素子保持構造は、撮像素子を保持する撮像素子枠と、前記撮像素子枠を支持する撮像素子枠支持部材と、前記撮像素子枠支持部材の周方向の任意の位置であって少なくなくとも３つ以上の位置に当該撮像素子枠支持部材を貫通するように形成された合成溝孔に嵌合するとともに、前記撮像素子枠の周方向の任意の位置であって少なくとも３つ以上の位置に取り付けられる円筒部材と、を備える。また、前記合成溝孔は、それぞれ開口幅が異なる複数の溝孔が前記撮像素子枠支持部材の肉厚方向に連通することにより、形成されている。
【００１１】
本発明の第２の形態に係る撮像素子保持構造によれば、本発明の第１の形態に係るレンズ鏡筒と同様に、前記撮像素子枠支持部材の周方向の任意の位置であって少なくなくとも３つ以上の位置のそれぞれに、１つの前記合成溝孔を設けるだけで、前記撮像素子の偏心及び傾きを調整しながら、前記撮像素子枠を前記撮像素子枠支持部材に取り付けることができる。すなわち、前記撮像素子枠支持部材の光軸方向に隣接して２つの溝孔を配置する場合に比べて、前記撮像素子枠支持部材に設けられる溝孔を少なくすることできるとともに、撮像素子の偏心及び傾きを調整することができる。そのため、前記撮像素子枠支持部材の光軸方向に隣接して２つの溝孔を配置することによる、カメラ本体内部の設計が制約されたり、カメラ本体のサイズが巨大化してしまったりすることを防ぐことができる。よって、カメラ本体の設計の自由度を保ちつつ、且つカメラ本体の巨大化を招くことなく、撮像素子の偏心及び傾きを調整することができる撮像素子保持構造を提供することができる。
【００１２】
本発明の第３の形態に係る電子ビューファインダは、表示素子を保持する表示素子枠と、前記表示素子枠を支持する表示素子枠支持部材と、前記表示素子枠支持部材の周方向の任意の位置であって少なくなくとも３つ以上の位置に当該表示素子枠支持部材を貫通するように形成された合成溝孔に嵌合するとともに、前記表示素子枠の周方向の任意の位置であって少なくとも３つ以上の位置に取り付けられる円筒部材と、を備える。また、前記合成溝孔は、それぞれ開口幅が異なる複数の溝孔が前記表示素子枠支持部材の肉厚方向に連通することにより、形成されている。
【００１３】
本発明の第３の形態に係る電子ビューファインダによれば、本発明の第１の形態に係るレンズ鏡筒と同様に、前記表示素子枠支持部材の周方向の任意の位置であって少なくなくとも３つ以上の位置のそれぞれに、１つの前記合成溝孔を設けるだけで、前記表示素子の偏心及び傾きを調整しながら、前記表示素子枠を前記表示素子枠支持部材に取り付けることができる。すなわち、前記表示素子枠支持部材の光軸方向に隣接して２つの溝孔を配置する場合に比べて、前記表示素子枠支持部材に設けられる溝孔を少なくすることできるとともに、表示素子の偏心及び傾きを調整することができる。そのため、前記表示素子枠支持部材の光軸方向に隣接して２つの溝孔を配置することによる、電子ビューファインダの設計が制約されたり、電子ビューファインダのサイズが巨大化してしまったりすることを防ぐことができる。よって、電子ビューファインダの設計の自由度を保ちつつ、且つ電子ビューファインダの巨大化を招くことなく、表示素子の偏心及び傾きを調整することができる電子ビューファインダを提供することができる。
【００１４】
本発明の第４の形態に係るカメラは、上記のレンズ鏡筒を備える。
【００１５】
本発明の第４の形態に係るカメラによれば、レンズ光学系の設計の自由度を保ちつつ、且つレンズ鏡筒の巨大化を招くことなく、光学素子の偏心及び傾きを調整することができるため、サイズを抑え、且つ光学性能に優れたカメラを提供することができる。
【発明の効果】
【００１６】
本発明により、レンズ光学系の設計の自由度を保ちつつ、且つレンズ鏡筒の巨大化を招くことなく、光学素子の偏心及び傾きを調整することができる、撮像素子保持構造及び電子ビューファインダを提供することができる。
【図面の簡単な説明】
【００１７】
【図１】本発明の実施の形態１に係るレンズ鏡筒を実装したカメラの内部構造を示す断面図である。
【図２】本発明の実施の形態１に係る第３レンズ群及び第５レンズ群の物体側のレンズ群を支持する構造を示す斜視図である。
【図３】本発明の実施の形態１に係る第３レンズ群及び第５レンズ群の物体側のレンズ群を支持する構造を示す分解斜視図である。
【図４】本発明の実施の形態１に係る傾き調整及び偏心調整を説明する分解斜視図である。
【図５】本発明の実施の形態１に係る傾き調整及び偏心調整を説明する斜視図である。
【図６】本発明の実施の形態１に係る第３レンズ群及び第５レンズ群の物体側のレンズ群を支持する構造を示す正面図である。
【図７】本発明の実施の形態１に係る傾き調整及び偏心調整を説明する分解断面図である。
【図８】本発明の実施の形態１に係る傾き調整及び偏心調整を説明する上面図である。
【図９】図７の破線で囲む部分を拡大して示す断面図である。
【図１０】図８の破線で囲む部分を拡大して示す上面図である。
【図１１】本発明の実施の形態１に係るレンズ枠支持部材がワイド端に移動した状態のレンズ鏡筒を示す斜視図である。
【図１２】本発明の実施の形態１に係るレンズ枠支持部材がワイド端に移動した状態における、第３レンズ群の物体側のレンズ群の傾き調整について説明する断面図である。
【図１３】本発明の実施の形態１に係るレンズ枠支持部材がワイド端に移動した状態における、第３レンズ群の物体側のレンズ群の傾き調整について説明する断面図である。
【図１４】本発明の実施の形態１に係るレンズ枠支持部材がテレ端に移動した状態のレンズ鏡筒を示す斜視図である。
【図１５】本発明の実施の形態１に係るレンズ枠支持部材がテレ端に移動した状態における、第３レンズ群の像側のレンズ群の偏心調整について説明する断面図である。
【図１６】本発明の実施の形態２に係る撮像素子枠支持部材を実装したカメラの内部構造を示す断面図である。
【図１７】本発明の実施の形態２に係る撮像素子枠支持部材により撮像素子枠を支持する構造を示す背面図である。
【図１８】本発明の実施の形態２に係る撮像素子枠支持部材により撮像素子枠を支持する構造を示す断面図である。
【図１９】本発明の実施の形態３に係る電子ビューファインダを実装したカメラの内部構造を示す断面図である。
【図２０】本発明の実施の形態３に係る電子ビューファインダにおける表示素子の保持構造を示す背面図である。
【図２１】本発明の実施の形態３に係る電子ビューファインダにおける表示素子の保持構造を示す断面図である。
【発明を実施するための形態】
【００１８】
以下、本発明を適用可能な実施の形態について説明する。なお、本発明は、下記の実施の形態に限定されるものではない。
実施の形態１．
図１に、本発明の実施の形態１に係るレンズ鏡筒１００を実装したカメラ（光学機器）１の内部構造の断面図を示す。なお、本実施の形態１において、カメラ１の左右方向をＸ軸とし、カメラ１の光軸方向をＹ軸とし、カメラ１の上下方向をＺ軸とする。また、図１においては、説明簡単のため、断面を示すハッチングは一部省略されている。同様に、本出願の他の図面においても、説明簡単のため、断面図を示すハッチングは一部省略されている。
図１に示すように、カメラ１は、レンズ鏡筒１００、カメラ本体２００等を備える。カメラ本体２００は、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等の撮像素子等を備えている。
【００１９】
レンズ鏡筒１００内には、図１に示すように、物体側から像側に向かって、光学素子としての第１レンズ群Ｌ１、第２レンズ群Ｌ２、第３レンズ群Ｌ３、第４レンズ群Ｌ４、第５レンズ群Ｌ５が配置されている。第１レンズ群Ｌ１、第２レンズ群Ｌ２、第３レンズ群Ｌ３、第４レンズ群Ｌ４、第５レンズ群Ｌ５は、それぞれ、複数枚の光学レンズを備えている。なお、レンズ鏡筒１００内に配置される光学素子は、光学レンズに限定されるものではなく、例えば、フィルタ部材、回折光学素子等が配置されてもよい。
第３レンズ群Ｌ３は、物体側から像側に向かって、レンズ群Ｌ３１、レンズ群Ｌ３２を有している。第４レンズ群Ｌ４は、物体側から像側に向かって、レンズ群Ｌ４１、レンズ群Ｌ４２を有している。第５レンズ群Ｌ５は、物体側から像側に向かって、レンズ群Ｌ５１、レンズ群Ｌ５２を有している。
なお、図１においては、説明簡単のため、各レンズ群におけるレンズ構成は省略して示している。同様に、本出願の他の図面においても、説明簡単のため、各レンズ群におけるレンズ構成は省略して示している。
【００２０】
そして、カメラ１のズーム動作によって第１レンズ群Ｌ１、第２レンズ群Ｌ２、第３レンズ群Ｌ３、第４レンズ群Ｌ４、第５レンズ群Ｌ５が、カメラ１の光軸方向に移動する。
また、カメラ１のズーム動作によって、第３レンズ群Ｌ３と第５レンズ群Ｌ５とは、一体的に、カメラ１の光軸方向に移動する。
また、カメラ１のフォーカス動作によって、第３レンズ群のレンズ群３１が、カメラ１の光軸方向に移動する。
また、第４レンズ群Ｌ４のレンズ群Ｌ４１は、カメラ１の振れ補正動作として、カメラ１の光軸に直交する方向にも移動する。
【００２１】
レンズ鏡筒１００は、図１に示すように、マウント１０１、固定筒１０２、案内筒１０３（構成部材）、カム筒１０４（構成部材）、レンズ枠支持部材１０５、第１のレンズ枠（レンズ枠）１０６、第２のレンズ枠（レンズ枠）１０７、第３のレンズ枠１０８（レンズ枠）、第１の保持枠１０９、第２の保持枠１１０、第３の保持枠１１１、第４の保持枠１１２、第５の保持枠１１３、第６の保持枠１１４等を備えている。
マウント１０１、固定筒１０２、案内筒１０３（構成部材）、カム筒１０４（構成部材）、レンズ枠支持部材１０５、第１のレンズ枠（レンズ枠）１０６、第２のレンズ枠（レンズ枠）１０７、第３のレンズ枠１０８、第１の保持枠１０９、第２の保持枠１１０、第３の保持枠１１１、第４の保持枠１１２、第５の保持枠１１３、第６の保持枠１１４は、略円筒形状に形成されている。
【００２２】
マウント１０１の物体側には、ビス（図示省略）によって、固定筒１０２が取り付けられている。また、マウント１０１の像側にはバヨネット部が形成されており、当該バヨネット部によってマウント１０１はカメラ本体２００に取り付けられている。
【００２３】
固定筒１０２には、ビス（図示省略）によって、案内筒１０３が取り付けられている。これにより、案内筒１０３は、カメラ本体２００に対して、カム筒１０４、レンズ枠支持部材１０５、第１のレンズ枠１０６、第２のレンズ枠１０７、第３のレンズ枠１０８、第１の保持枠１０９、第２の保持枠１１０、第３の保持枠１１１、第４の保持枠１１２、第５の保持枠１１３、第６の保持枠１１４等を固定する。
【００２４】
また、案内筒１０３には、後述する円筒部材３０１、３０２に対して、案内筒１０３の外側から、当該円筒部材３０１、３０２を回動させるための所定の専用工具（図示省略）を着脱するための開口部１０３Ａ（後述）が形成されている。
また、案内筒１０３には、光軸方向に沿って案内溝１０３Ｂ（後述）が形成されている。
【００２５】
また、案内筒１０３の内周側には、カム筒１０４が光軸を回動軸として回動可能に嵌合している。また、カム筒１０４には、カム溝１０４Ｂ（後述）が形成されている。
そして、カム筒１０４が回動することにより、カム溝１０４Ｂと案内筒１０３の案内溝１０３Ｂとが重なる位置が移動する。これにより、第１レンズ群Ｌ１、第２レンズ群Ｌ２、第４レンズ群Ｌ４、及び、第３レンズ群Ｌ３と第５レンズ群Ｌ５とを保持するレンズ枠支持部材１０５を光軸方向に移動させることができる。
【００２６】
また、カム筒１０４には、後述する円筒部材３０１、３０２に対して、カム筒１０４の外側から、当該円筒部材３０１、３０２を回動させるための所定の専用工具（図示省略）を着脱するための開口部１０４Ａ（後述）が形成されている。
【００２７】
レンズ枠支持部材１０５の内周側には、第１のレンズ枠１０６、第２のレンズ枠１０７、第３のレンズ枠１０８が取り付けられている。また、レンズ枠支持部材１０５の像側には、第６の保持枠１１４の物体側の部分が取り付けられている。
第１のレンズ枠１０６の内周側には、第３レンズ群Ｌ３の物体側のレンズ群Ｌ３１を保持する第３の保持枠１１１が取り付けられている。また、第２のレンズ枠１０７は、第３レンズ群Ｌ３の像側のレンズ群Ｌ３２を保持する。また、第３のレンズ枠１０８は、第５レンズ群Ｌ５の物体側のレンズ群Ｌ５１を保持する。また、第６の保持枠１１４は、第５レンズ群Ｌ５の像側のレンズ群Ｌ５２を保持する。
これにより、レンズ枠支持部材１０５は、第３レンズ群Ｌ３と第５レンズ群Ｌ５とを一体的に保持することができる。また、カム筒１０４の回動に伴ってレンズ枠支持部材１０５が光軸方向に移動することにより、第３レンズ群Ｌ３と第５レンズ群Ｌ５とが一体的に光軸方向に移動することができる。
【００２８】
第１のレンズ枠１０６は、レンズ枠支持部材１０５に、光軸方向に移動可能に取り付けられている。また、上述の通り、第１のレンズ枠１０６は、第３の保持枠１１１を介して、第３レンズ群Ｌ３の物体側のレンズ群Ｌ３１を保持する。これにより、第３レンズ群Ｌ３のレンズ群Ｌ３１は、カメラ１のフォーカス動作によって、光軸方向に移動することができる。
【００２９】
第１の保持枠１０９は、カム筒１０４にビスにより取り付けられている。また、第１の保持枠１０９は、第１レンズ群Ｌ１を保持する。これにより、カム筒１０４の回動に伴って、第１レンズ群Ｌ１が光軸方向に移動することができる。
【００３０】
第２の保持枠１１０は、カム筒１０４にビスにより取り付けられている。また、第２の保持枠１１０は、第２レンズ群Ｌ２を保持する。これにより、カム筒１０４の回動に伴って、第２レンズ群Ｌ２が光軸方向に移動することができる。
【００３１】
第４の保持枠１１２は、カム筒１０４に取り付けられている。また、第４の保持枠１１２は、第４レンズ群Ｌ４の物体側のレンズ群Ｌ４１を保持する。
第５の保持枠１１３は、カム筒１０４に取り付けられている。また、第５の保持枠１１３は、第４レンズ群Ｌ４の像側のレンズ群Ｌ４２を保持する。
これにより、カム筒１０４の回動に伴って、第４レンズ群Ｌ４が光軸方向に移動することができる。
【００３２】
また、第４の保持枠１１２は、カム筒１０４に、光軸に直交する方向に移動可能に取り付けられている。また、上述の通り、第４の保持枠１１２は、第４レンズ群Ｌ４の物体側のレンズ群Ｌ４１を保持する。これにより、第４レンズ群Ｌ４のレンズ群Ｌ４１は、カメラ１の振れ補正動作によって、光軸に直交する方向にも移動することができる。
【００３３】
次に、第３レンズ群Ｌ３及び第５レンズ群Ｌ５の物体側のレンズ群Ｌ５１を支持する構造について、図２、図３を参照しながら説明する。図２は、第３レンズ群Ｌ３及び第５レンズ群Ｌ５の物体側のレンズ群Ｌ５１を支持する構造を示す斜視図である。図３は、第３レンズ群Ｌ３及び第５レンズ群Ｌ５の物体側のレンズ群Ｌ５１を支持する構造を示す分解斜視図である。
図２、図３に示すように、第３レンズ群Ｌ３及び第５レンズ群Ｌ５の物体側のレンズ群Ｌ５１を支持する構造は、レンズ枠支持部材１０５、第１のレンズ枠１０６、第２のレンズ枠１０７、第３のレンズ枠１０８を備える。第１のレンズ枠１０６、第２のレンズ枠１０７、第３のレンズ枠１０８は、上述の通り、レンズ枠支持部材１０５の内周側に取り付けられている。
【００３４】
レンズ枠支持部材１０５には、レンズ枠支持部材１０５の周方向の任意の位置であって少なくとも３つ以上の位置に、合成溝孔１０５Ａ、１０５Ｂ、１０５Ｃが当該レンズ枠支持部材１０５を貫通するように形成されている。本実施の形態１においては、レンズ枠支持部材１０５には、レンズ枠支持部材１０５の周方向に沿って等間隔に、３つの合成溝孔１０５Ａが形成されている。また、レンズ枠支持部材１０５には、レンズ枠支持部材１０５の周方向に沿って等間隔に、３つの合成溝孔１０５Ｂが形成されている。また、レンズ枠支持部材１０５には、レンズ枠支持部材１０５の周方向に沿って等間隔に、３つの合成溝孔１０５Ｃが形成されている。また、レンズ枠支持部材１０５において、合成溝孔１０５Ｂは、合成溝孔１０５Ａよりも像側の位置に形成されている。また、レンズ枠支持部材１０５において、合成溝孔１０５Ｃは、合成溝孔１０５Ｂよりも像側の位置に形成されている。
【００３５】
第１のレンズ枠１０６には、第１のレンズ枠１０６の周方向の任意の位置であって少なくとも３つ以上の位置に、穴部１０６Ａが形成されている。また、第１のレンズ枠１０６に形成される穴部１０６Ａの位置は、レンズ枠支持部材１０５に形成される合成溝孔１０５Ａの位置と相当する位置となっている。本実施の形態１においては、第１のレンズ枠１０６には、第１のレンズ枠１０６の周方向に沿って等間隔に、３つの穴部１０６Ａが形成されている。
【００３６】
第２のレンズ枠１０７には、第２のレンズ枠１０７の周方向の任意の位置であって少なくとも３つ以上の位置に、穴部１０７Ａが形成されている。また、第２のレンズ枠１０７に形成される穴部１０７Ａの位置は、レンズ枠支持部材１０５に形成される合成溝孔１０５Ｂの位置と相当する位置となっている。本実施の形態１においては、第２のレンズ枠１０７には、第２のレンズ枠１０７の周方向に沿って等間隔に、３つの穴部１０７Ａが形成されている。
【００３７】
第３のレンズ枠１０８には、第３のレンズ枠１０８の周方向の任意の位置であって少なくとも３つ以上の位置に、穴部１０８Ａが形成されている。また、第３のレンズ枠１０８に形成される穴部１０８Ａの位置は、レンズ枠支持部材１０５に形成される合成溝孔１０５Ｃの位置と相当する位置となっている。本実施の形態１においては、第３のレンズ枠１０８には、第３のレンズ枠１０８の周方向に沿って等間隔に、３つの穴部１０８Ａが形成されている。
【００３８】
そして、レンズ枠支持部材１０５の合成溝孔１０５Ａ及び第１のレンズ枠１０６の穴部１０６Ａに嵌合する円筒部材３０１をネジ部品４０１により固定することにより、レンズ枠支持部材１０５の内周側に第１のレンズ枠１０６が取り付けられる。
また、レンズ枠支持部材１０５の合成溝孔１０５Ｂ及び第２のレンズ枠１０７の穴部１０７Ａに嵌合する円筒部材３０２をネジ部品４０２により固定することにより、レンズ枠支持部材１０５の内周側に第２のレンズ枠１０７が取り付けられる。
また、レンズ枠支持部材１０５の合成溝孔１０５Ｃ及び第３のレンズ枠１０８の穴部１０８Ａに嵌合する円筒部材３０３をネジ部品４０３により固定することにより、レンズ枠支持部材１０５の内周側に第３のレンズ枠１０８が取り付けられる。
これにより、レンズ枠支持部材１０５によって、第３レンズ群Ｌ３及び第５レンズ群Ｌ５のレンズ群Ｌ５１が間接的に保持される。
【００３９】
次に、図４〜図１０を参照しながら、第３レンズ群Ｌ３の物体側のレンズ群Ｌ３１の傾き調整と、第３レンズ群Ｌ３の像側のレンズ群Ｌ３２の偏心調整と、を詳細に説明する。
図４は、レンズ枠支持部材１０５の合成溝孔１０５Ａ、１０５Ｂ、円筒部材３０１、３０２、ネジ部品４０１、４０２等を示す分解斜視図である。図５は、レンズ枠支持部材１０５の合成溝孔１０５Ａ、１０５Ｂに円筒部材３０１、３０２がネジ部品４０１、４０２によって固定された状態を示す斜視図である。図６は、レンズ枠支持部材１０５に第１のレンズ枠１０６と第２のレンズ枠１０７とが取り付けられた状態を示す正面図である。図７は、第１のレンズ枠１０６の穴部１０６Ａ、第２のレンズ枠１０７の穴部１０７Ａ、レンズ枠支持部材１０５の合成溝孔１０５Ａ、１０５Ｂ、円筒部材３０１、３０２、ネジ部品４０１、４０２等を示す分解断面図である。図８は、合成溝孔１０５Ａ、１０５Ｂを示す上面図である。図９は、図７の破線で囲む部分を拡大して示す断面図である。図１０は、図８の破線で囲む部分を拡大して示す上面図である。
また、図８の一点鎖線が示す位置は、図６の一点鎖線が示す位置と相当する位置である。また、図７の一点鎖線は、円筒部材３０１及び円筒部材３０２の回動軸を示す。
【００４０】
図４、図７〜図１０に示すように、合成溝孔１０５Ａは、それぞれ開口幅が異なる複数の溝孔１０５Ｄ、１０５Ｅがレンズ枠支持部材１０５の肉厚方向に連通することにより、形成されている。同様に、合成溝孔１０５Ｂは、それぞれ開口幅が異なる複数の溝孔１０５Ｆ、１０５Ｇがレンズ枠支持部材１０５の肉厚方向に連通することにより、形成されている。なお、合成溝孔１０５Ａを構成する溝孔１０５Ｄ、１０５Ｅの数、及び、合成溝孔１０５Ｂを構成する溝孔１０５Ｆ、１０５Ｇの数は、２つに限定されるものではなく、合成溝孔１０５Ａ、１０５Ｂは３つ以上の溝孔により形成されてもよい。
【００４１】
また、レンズ枠支持部材１０５の外周側に位置する溝孔１０５Ｄ、１０５Ｇはレンズ枠支持部材１０５の周方向に平行に形成されており、レンズ枠支持部材１０５の内周側に位置する溝孔１０５Ｅ、１０５Ｇはレンズ鏡筒１００の光軸に平行に形成されている。具体的には、図８、図１０に示すように、合成溝孔１０５Ａを構成する複数の溝孔１０５Ｄ、１０５Ｅのうち、少なくとも１つの溝孔１０５Ｄは、レンズ枠支持部材１０５の周方向に平行に形成され、少なくとも１つの他の溝孔１０５Ｅは、レンズ鏡筒１００の光軸に平行に形成されている。同様に、合成溝孔１０５Ｂを構成する溝孔１０５Ｅ、１０５Ｇのうち、溝孔１０５Ｆは、レンズ枠支持部材１０５の周方向に平行に形成され、溝孔１０５Ｇは、レンズ鏡筒１００の光軸に平行に形成されている。
換言すれば、溝孔１０５Ｄ、１０５Ｅ、１０５Ｆ、１０５Ｇは、それぞれ、平面視略楕円形状である。そして、溝孔１０５Ｄ及び溝孔１０５Ｆは、当該楕円形状の長軸がレンズ枠支持部材１０５の周方向に平行となるように、レンズ枠支持部材１０５に形成されている。また、溝孔１０５Ｅ及び溝孔１０５Ｇは、当該楕円形状の長軸がレンズ鏡筒１００の光軸に平行となるように、レンズ枠支持部材１０５に形成されている。
【００４２】
また、図８、図１０に示すように、レンズ枠支持部材１０５の外周側に位置する溝孔１０５Ｄの開口幅は、レンズ枠支持部材１０５の内周側に位置する溝孔１０５Ｅの開口幅より大きいことが好ましい。同様に、レンズ枠支持部材１０５の外周側に位置する溝孔１０５Ｆの開口幅は、レンズ枠支持部材１０５の内周側に位置する溝孔１０５Ｇの開口幅より大きいことが好ましい。換言すれば、溝孔１０５Ｅの開口面積は溝孔１０５Ｄの開口面積より小さくなっている。また、溝孔１０５Ｇの開口面積は溝孔１０５Ｆの開口面積より小さくなっている。
これにより、レンズ枠支持部材１０５に対して外側から合成溝孔１０５Ａ、１０５Ｂを加工形成することができる。または、外側スライドコア方式の射出成型法により、合成溝孔１０５Ａ、１０５Ｂが形成されたレンズ枠支持部材１０５を成形することができる。なお、レンズ枠支持部材１０５を容易に製造する必要がない場合には、溝孔１０５Ｄの開口幅は溝孔１０５Ｅの開口幅より小さくてもよい。換言すれば、溝孔１０５Ｄの開口部と溝孔１０５Ｅの開口部とが一部交差してもよい。同様に、溝孔１０５Ｆの開口部と溝孔１０５Ｇの開口部とが一部交差してもよい。
【００４３】
レンズ枠支持部材１０５の周方向の任意の位置であって少なくとも３つ以上の位置に形成された合成溝孔１０５Ａにそれぞれ嵌合する３つ以上の円筒部材３０１のうち少なくとも２つの円筒部材３０１は、第１の円筒部３０１Ａ（偏心円筒部）、第２の円筒部３０１Ｂ（同心円筒部）を備える。また、レンズ枠支持部材１０５の周方向の任意の位置であって少なくとも３つ以上の位置に形成された合成溝孔１０５Ｂにそれぞれ嵌合する３つ以上の円筒部材３０２のうち少なくとも２つの円筒部材３０２は、第１の円筒部３０２Ａ（同心円筒部）、第２の円筒部３０２Ｂ（偏心円筒部）を備える。
また、第１の円筒部３０１Ａは、円筒部材３０１の回動軸に対して偏心しており、第２の円筒部３０１Ｂは、円筒部材３０１の回動軸に対して同心となっている。
また、第１の円筒部３０２Ａは、円筒部材３０２の回動軸に対して同心となっており、第２の円筒部３０２Ｂは、円筒部材３０２の回動軸に対して偏心している。
【００４４】
本実施の形態１では、３つの円筒部材３０１は、それぞれ、第１の円筒部３０１Ａ、第２の円筒部３０１Ｂ、第３の円筒部３０１Ｃを備えている。また、第１の円筒部３０１Ａ、第２の円筒部３０１Ｂ、第３の円筒部３０１Ｃは、この順に、円筒部材３０１が合成溝孔１０５Ａに篏合される方向に沿って配置されている。換言すれば、円筒部材３０１が合成溝孔１０５Ａに篏合された際、第１の円筒部３０１Ａの外周面は、合成溝孔１０５Ａの溝孔１０５Ｄの内周面に当接する。また、円筒部材３０１が合成溝孔１０５Ａに篏合された際、第２の円筒部３０１Ｂの外周面は、合成溝孔１０５Ａの溝孔１０５Ｅの内周面に当接する。また、円筒部材３０１が合成溝孔１０５Ａに篏合された際、第３の円筒部３０１Ｃの外周面は、第１のレンズ枠１０６の穴部１０６Ａの内周面に当接する。
【００４５】
同様に、３つの円筒部材３０２は、それぞれ、第１の円筒部３０２Ａ、第２の円筒部３０２Ｂ、第３の円筒部３０２Ｃを備えている。また、第１の円筒部３０２Ａ、第２の円筒部３０２Ｂ、第３の円筒部３０２Ｃは、この順に、円筒部材３０２が合成溝孔１０５Ｂに篏合される方向に沿って配置されている。換言すれば、円筒部材３０２が合成溝孔１０５Ｂに篏合された際、第１の円筒部３０２Ａの外周面は、合成溝孔１０５Ｂの溝孔１０５Ｆの内周面に当接する。また、円筒部材３０２が合成溝孔１０５Ｂに篏合された際、第２の円筒部３０２Ｂの外周面は、合成溝孔１０５Ｂの溝孔１０５Ｇの内周面に当接する。また、円筒部材３０２が合成溝孔１０５Ｂに篏合された際、第３の円筒部３０２Ｃの外周面は、第２のレンズ枠１０７の穴部１０７Ａの内周面に当接する。
【００４６】
また、円筒部材３０１が合成溝孔１０５Ａに篏合された際、円筒部材３０１の回動軸に対して偏心している第１の円筒部３０１Ａの外周面が、レンズ枠支持部材１０５の周方向に平行に形成された溝孔１０５Ｄの内周面に当接している。そのため、ネジ部品４０１による合成溝孔１０５Ａに対する円筒部材３０１の固定を緩めた状態で、所定の専用工具（図示省略）を用いて円筒部材３０１を回動させると、第１のレンズ枠１０６がレンズ鏡筒１００の光軸方向に沿って傾く。そして、レンズ枠支持部材１０５の周方向に等間隔に設けられた３つの合成溝孔１０５Ａのそれぞれに篏合された円筒部材３０１を回動させることにより、レンズ鏡筒１００の光軸に対して第１のレンズ枠１０６の傾きを所望の傾きに調整することができる。換言すれば、レンズ枠支持部材１０５の周方向に設けられた３つの合成溝孔１０５Ａのそれぞれに篏合された円筒部材３０１を回動させることにより、第３レンズ群Ｌ３の物体側のレンズ群Ｌ３１の傾きを調整することができる。
【００４７】
また、円筒部材３０１の回動軸に対して偏心している第１の円筒部３０１Ａの高さは、円筒部材３０１の回動軸に対して同心となっている第２の円筒部３０１Ｂの高さに比べて著しく低くなっている。これにより、合成溝孔１０５Ａに篏合された円筒部材３０１が回動することによって、回動軸に対して偏心している第１の円筒部３０１Ａと合成溝孔１０５Ａの溝孔１０５Ｄとの間に生じる応力を最小限に抑えることができる。
【００４８】
なお、本実施の形態１では、第１の円筒部３０１Ａの高さ及び第２の円筒部３０１Ｂの高さに合わせて、合成溝孔１０５Ａの溝孔１０５Ｄの深さは、溝孔１０５Ｅの深さに比べて著しく浅くなっている。これにより、合成溝孔１０５Ａに篏合された円筒部材３０１が回動することによって、第１の円筒部３０１Ａと溝孔１０５Ｄとの間に生じる応力をより確実に抑えることができる。
しかし、合成溝孔１０５Ａの溝孔１０５Ｄの深さは、溝孔１０５Ｅの深さと略同じであってもよい。溝孔１０５Ｄの深さが溝孔１０５Ｅの深さと略同じである場合、回動軸に偏心している円筒部の外周面が光軸に平行に形成された溝孔１０５Ｅの内周面に当接する円筒部材を合成溝孔１０５Ａに篏合させて回動させることにより、第１のレンズ枠１０６の偏心を調整することができる。そのため、レンズ枠支持部材１０５の周方向の任意の位置に３つ以上の合成溝孔１０５Ａを１組設けることにより、第１のレンズ枠１０６の傾き及び偏心の何れも調整することができる。換言すれば、レンズ枠支持部材１０５の周方向の任意の位置に設けられた１組の合成溝孔１０５Ａに、回動軸に対して偏心している円筒部を少なくとも１つ有する円筒部材を篏合させて回動することにより、第３レンズ群Ｌ３の物体側のレンズ群Ｌ３１の傾き及び偏心の何れも調整することができる。
【００４９】
また、同様に、円筒部材３０２が合成溝孔１０５Ｂに篏合された際、円筒部材３０２の回動軸に対して偏心している第２の円筒部３０２Ｂの外周面が、レンズ鏡筒１００の光軸に平行に形成された溝孔１０５Ｇの内周面に当接している。そのため、ネジ部品４０２による合成溝孔１０５Ｂに対する円筒部材３０２の固定を緩めた状態で、所定の専用工具を用いて円筒部材３０２を回動させると、第２のレンズ枠１０７がレンズ鏡筒１００の光軸に対して偏心する。そして、レンズ枠支持部材１０５の周方向に等間隔に設けられた３つの合成溝孔１０５Ｂのそれぞれに篏合された円筒部材３０２を回動させることにより、レンズ鏡筒１００の光軸に対して第２のレンズ枠１０７の偏心度合いを所望の偏心度合いに調整することができる。換言すれば、レンズ枠支持部材１０５の周方向に設けられた３つの合成溝孔１０５Ｂのそれぞれに篏合された円筒部材３０２を回動させることにより、第３レンズ群Ｌ３の像側のレンズ群Ｌ３２の偏心を調整することができる。
【００５０】
また、円筒部材３０２の回動軸に対して偏心している第２の円筒部３０２Ｂの高さは、円筒部材３０２の回動軸に対して同心となっている第１の円筒部３０２Ａの高さに比べて著しく低くなっている。これにより、合成溝孔１０５Ｂに篏合された円筒部材３０２が回動することによって、回動軸に対して偏心している第２の円筒部３０２Ｂと合成溝孔１０５Ｂの溝孔１０５Ｇとの間に生じる応力を最小限に抑えることができる。
【００５１】
なお、本実施の形態１では、第１の円筒部３０２Ａの高さ及び第２の円筒部３０２Ｂの高さに合わせて、合成溝孔１０５Ｂの溝孔１０５Ｇの深さは、溝孔１０５Ｆの深さに比べて著しく浅くなっている。これにより、合成溝孔１０５Ｂに篏合された円筒部材３０２が回動することによって、第２の円筒部３０２Ｂと溝孔１０５Ｇとの間に生じる応力をより確実に抑えることができる。
しかし、合成溝孔１０５Ｂの溝孔１０５Ｇの深さは、溝孔１０５Ｆの深さと略同じであってもよい。溝孔１０５Ｇの深さが溝孔１０５Ｆの深さと略同じである場合、回動軸に偏心している円筒部の外周面がレンズ枠支持部材１０５の周方向に平行に形成された溝孔１０５Ｆの内周面に当接する円筒部材を合成溝孔１０５Ｂに篏合させて回動させることにより、第２のレンズ枠１０７の傾きを調整することができる。そのため、レンズ枠支持部材１０５の周方向の任意の位置に３つ以上の合成溝孔１０５Ｂを１組設けることにより、第２のレンズ枠１０７の傾き及び偏心の何れも調整することができる。換言すれば、レンズ枠支持部材１０５の周方向の任意の位置に設けられた１組の合成溝孔１０５Ｂに、回動軸に対して偏心している円筒部を少なくとも１つ有する円筒部材を篏合させて回動することにより、第３レンズ群Ｌ３の像側のレンズ群Ｌ３２の傾き及び偏心の何れも調整することができる。
【００５２】
また、第１の円筒部３０１Ａは、円筒部材３０１の回動軸に対して同心となっていてもよく、第２の円筒部３０２Ａは、円筒部材３０２の回動軸に対して同心となっていてもよい。換言すれば、第１の円筒部３０１Ａ、第２の円筒部３０１Ｂ、第３の円筒部３０１Ｃは、円筒部材３０１の回動軸に対して同心となっていてもよい。また、第１の円筒部３０２Ａ、第２の円筒部３０２Ｂ、第３の円筒部３０２Ｃは、円筒部材３０２の回動軸に対して同心となっていてもよい。この場合には、円筒部材３０１を合成溝孔１０５Ａに篏合させて回動させてもレンズ群Ｌ３１の傾き及び偏心を調整することはできない。また、円筒部材３０２を合成溝孔１０５Ｂに篏合させて回動させてもレンズ群Ｌ３２の傾き及び偏心を調整することができない。
【００５３】
しかし、レンズ枠支持部材１０５を製造した後に、当該レンズ枠支持部材１０５に形成された合成溝孔１０５Ａの溝孔１０５Ｄ、１０５Ｅ及び合成溝孔１０５Ｂの溝孔１０５Ｆ、１０５Ｇの形状を補正することにより、第３レンズ群Ｌ３のレンズ群Ｌ３１、Ｌ３２の傾き及び偏心を補正することができる。例えば、レンズ枠支持部材１０５の金型を修正することにより、合成溝孔１０５Ａの溝孔１０５Ｄ、１０５Ｅ及び合成溝孔１０５Ｂの溝孔１０５Ｆ、１０５Ｇの形状を補正する。
【００５４】
このとき、レンズ枠支持部材１０５に合成溝孔１０５Ａ、１０５Ｂの代わりに、単純な円筒状の孔を設けた場合、当該孔のレンズ枠支持部材１０５の周方向の位置のみを変化させてレンズ群Ｌ３１、Ｌ３２の偏心を調整しようとレンズ枠支持部材１０５の金型を修正しても、当該孔のレンズ枠支持部材１０５の光軸方向の位置も変化してしまって、レンズ群Ｌ３１、Ｌ３２の傾きも変化してしまったりする虞がある。また、当該孔のレンズ枠支持部材１０５の光軸方向の位置のみを変化させてレンズ群Ｌ３１、Ｌ３２の傾きを調整しようとレンズ枠支持部材１０５の金型を修正しても、当該孔の周方向の位置も変化してしまって、レンズ群Ｌ３１、Ｌ３２の偏心も変化してしまったりする虞がある。
【００５５】
一方、レンズ枠支持部材１０５に合成溝孔１０５Ａ、１０５Ｂを形成している場合、レンズ枠支持部材１０５の周方向に平行に形成された溝孔１０５Ｄ、１０５Ｆの形状のみを変化させるように金型を修正して、レンズ群Ｌ３１、Ｌ３２の傾きのみを調整することができる。また、光軸方向に平行に形成された溝孔１０５Ｅ、１０５Ｇの形状のみを変化させるように金型を修正して、レンズ群Ｌ３１、Ｌ３２の偏心のみを調整することができる。
すなわち、レンズ群Ｌ３１、Ｌ３２の偏心と傾きとのいずれか一方のみの調整を他方に影響を与えることなく行うことができる。これにより、レンズ枠支持部材１０５を製造した後に、レンズ枠支持部材１０５に形成された合成溝孔１０５Ａ、１０５Ｂの形状を補正することにより、より精密に、レンズ群Ｌ３１、Ｌ３２の偏心及び傾きを調整することができる。
【００５６】
また、本明細書では、合成溝孔１０５Ｃ及び円筒部材３０３の形状や機能の説明は省略するが、上述の合成溝孔１０５Ａ、１０５Ｂ及び円筒部材３０１、３０２と同様の形状や機能を有することは言うまでもない。これにより、合成溝孔１０５Ｃに円筒部材３０３を嵌合させた状態で回動することにより、第３のレンズ枠１０８に保持された第５レンズ群Ｌ５の物体側のレンズ群Ｌ５１の偏心及び傾きを調整することができる。
【００５７】
次に、図１１〜図１５を参照して、カメラ１の製造工程においてレンズ鏡筒１００の組立がほぼ完了した状態における、第３レンズ群Ｌ３及び第５レンズ群Ｌ５の物体側のレンズ群Ｌ５１の光学調整について、説明する。図１１は、レンズ枠支持部材１０５がワイド端に移動した状態のレンズ鏡筒１００を示す斜視図である。図１２は、レンズ枠支持部材１０５がワイド端に移動した状態における、第３レンズ群Ｌ３の物体側のレンズ群Ｌ３１の傾き調整について説明する断面図である。図１３は、レンズ枠支持部材１０５がワイド端に移動した状態における、第３レンズ群Ｌ３の物体側のレンズ群Ｌ３１の傾き調整について説明する断面図である。図１４は、レンズ枠支持部材１０５がテレ端に移動した状態のレンズ鏡筒１００を示す斜視図である。図１５は、レンズ枠支持部材１０５がテレ端に移動した状態における、第３レンズ群Ｌ３の像側のレンズ群Ｌ３２の偏心調整について説明する断面図である。図１１〜図１５では、カメラ１の製造工程において、レンズ鏡筒１００の組立がほぼ完了した状態を示している。
【００５８】
ここで、レンズ鏡筒１００の組立がほぼ完了した状態とは、各レンズ保持枠１０９〜１１４に各レンズ群Ｌ１、Ｌ２、Ｌ３１、Ｌ４１、Ｌ４２、Ｌ５２を取り付け、第１〜第３のレンズ枠１０６〜１０８に第３の保持枠１１１、レンズ群Ｌ３２、Ｌ５１を取り付け、第１〜第３のレンズ枠１０６〜１０８をレンズ枠支持部材１０５に取り付け、各レンズ保持枠１０９〜１１４及びレンズ枠支持部材１０５をカム筒１０４に取り付け、カム筒１０４を案内筒１０３に取り付けた状態であって、合成溝孔１０５Ａ〜１０５Ｃに円筒部材３０１〜３０３を嵌合し、円筒部材３０１〜３０３及び穴部１０６Ａ〜１０８Ａにネジ部品４０１〜４０３を緩く締結した状態である。ここで、円筒部材３０１〜３０３及び穴部１０６Ａ〜１０８Ａにネジ部品４０１〜４０３を緩く締結した状態とは、合成溝孔１０５Ａ〜１０５Ｃに嵌合した円筒部材３０１〜３０３が回動可能なように、円筒部材３０１〜３０３及び穴部１０６Ａ〜１０８Ａにネジ部品４０１〜４０３を締結した状態を意味する。そして、この状態のレンズ鏡筒１００を所定の調整治具（図示省略）に取り付けることにより、レンズ鏡筒１００全体の最終的な光学性能の検査を行うことができる。
【００５９】
図１１に示すように、組立がほぼ完了した状態のレンズ鏡筒１００において、ズーム位置がワイド端となるようにカム筒１０４を回動させると、案内筒１０３の開口部１０３Ａとカム筒１０４の開口部１０４Ａとが重なり、案内筒１０３の外側から円筒部材３０１の上面が見えるようになっている。これにより、案内筒１０３の外側から、円筒部材３０１に対して回動させるための所定の専用工具（図示省略）を着脱することができる。そして、図１２、図１３に示すように、当該専用工具を用いて円筒部材３０１を回動させることにより、第３レンズ群Ｌ３の物体側のレンズ群Ｌ３１の傾きを調整することができる。
【００６０】
また、本実施の形態１においては、第３レンズ群Ｌ３の物体側のレンズ群Ｌ３１の製造誤差によってカメラ１の光学性能に影響を与えるのは、ズーム位置がワイド端となっている際の傾き成分だけとなるように、第３レンズ群Ｌ３のレンズ群Ｌ３１を設計している。換言すれば、レンズ群Ｌ３１の傾きを調整することによってレンズ鏡筒１００が実装されるカメラ１の光学性能の指標値が変化する量が最も大きい位置にレンズ枠支持部材１０５が位置する場合とは、ズーム位置がワイド端となっている場合である。この場合に、レンズ群Ｌ３１の傾きを調整することができるように、円筒部材３０１に対して案内筒１０３の外側から当該専用工具を着脱可能なように、案内筒１０３及びカム筒１０４に開口部１０３Ａ及び開口部１０４Ａが形成されている。
【００６１】
また、図１４に示すように、組立がほぼ完了した状態のレンズ鏡筒１００において、ズーム位置がテレ端となるようにカム筒１０４を回動させると、案内筒１０３の開口部１０３Ａとカム筒１０４の開口部１０４Ａとが重なり、案内筒１０３の外側から円筒部材３０２、３０３の上面が見えるようになっている。これにより、案内筒１０３の外側から、円筒部材３０２、３０３に対して回動させるための所定の専用工具（図示省略）を着脱することができる。そして、図１５に示すように、当該専用工具を用いて円筒部材３０２を回動させることにより、第３レンズ群Ｌ３の像側のレンズ群Ｌ３２の傾きを調整することができる。なお、図示は省略するが、専用工具を用いて円筒部材３０３を回動させることにより、第５レンズ群Ｌ５の物体側のレンズ群Ｌ５１の傾き及び偏心を調整することができることは言うまでもない。
【００６２】
また、本実施の形態１においては、第３レンズ群Ｌ３の像側のレンズ群Ｌ３２の製造誤差によってカメラ１の光学性能に影響を与えるのは、ズーム位置がテレ端となっている際の偏心成分だけとなるように、第３レンズ群Ｌ３のレンズ群Ｌ３２を設計している。換言すれば、レンズ群Ｌ３２の偏心を調整することによってレンズ鏡筒１００が実装されるカメラ１の光学性能の指標値が変化する量が最も大きい位置にレンズ枠支持部材１０５が位置する場合とは、ズーム位置がテレ端となっている場合である。この場合に、レンズ群Ｌ３２の偏心を調整することができるように、円筒部材３０２に対して案内筒１０３の外側から当該専用工具を着脱可能なように、案内筒１０３及びカム筒１０４に開口部１０３Ａ及び開口部１０４Ａが形成されている。
【００６３】
以上に説明した本発明の実施の形態１に係るレンズ鏡筒１００によれば、合成溝孔１０５Ａを構成する複数の溝孔１０５Ｄ、１０５Ｅのうち、レンズ枠支持部材１０５の周方向に平行に形成された溝孔１０５Ｄに、円筒部材３０１の回転軸に対して偏心している第１の円筒部３０１Ａを篏合させて、円筒部材３０１を回動させることにより、第３レンズ群Ｌ３の物体側のレンズ群Ｌ３１の傾きを調整しながら、レンズ群Ｌ３１を保持した第１のレンズ枠１０６をレンズ枠支持部材１０５に取り付けることができる。
なお、円筒部材３０１の回動軸に対して第２の円筒部３０１Ｂを偏心させることにより、当該第２の円筒部３０１Ｂを光軸に平行に形成された溝孔１０５Ｅに嵌合させて、円筒部材３０１を回動させることにより、レンズ群Ｌ３１の偏心を調整しながら、レンズ群Ｌ３１を保持した第１のレンズ枠１０６をレンズ枠支持部材１０５に取り付けることができる。
【００６４】
また、合成溝孔１０５Ｂを構成する複数の溝孔１０５Ｆ、１０５Ｇのうち、レンズ鏡筒１００の光軸に平行に形成された溝孔１０５Ｇに、円筒部材３０２の回転軸に対して偏心している第２の円筒部３０２Ｂを篏合させて、円筒部材３０２を回動させることにより、第３レンズ群Ｌ３の像側のレンズ群Ｌ３２の偏心を調整しながら、レンズ群Ｌ３２を保持した第２のレンズ枠１０７をレンズ枠支持部材１０５に取り付けることができる。
なお、円筒部材３０２の回動軸に対して第１の円筒部３０２Ａを偏心させることにより、当該第１の円筒部３０２Ａを合成溝孔１０５Ｂの溝孔１０５Ｆに嵌合させて、円筒部材３０２を回動させることにより、レンズ群Ｌ３２の傾きを調整しながら、レンズ群Ｌ３２を保持した第２のレンズ枠１０７をレンズ枠支持部材１０５に取り付けることができる。
【００６５】
換言すれば、レンズ群Ｌ３１、Ｌ３２を保持する１つの第１のレンズ枠１０６、第２のレンズ枠１０７に対して、レンズ枠支持部材１０５の周方向の任意の位置であって少なくとも３つ以上の位置のそれぞれに、レンズ枠支持部材１０５の光軸方向に隣接して、レンズ群Ｌ３１、Ｌ３２の偏心を調整するための溝孔と、レンズ群Ｌ３１、Ｌ３２の傾きを調整するための溝孔と、を設けなくても、レンズ枠支持部材１０５の周方向の任意の位置であって少なくなくとも３つ以上の位置のそれぞれに、１つの合成溝孔１０５Ａ、１０５Ｂを設けるだけで、レンズ群Ｌ３１、Ｌ３２の偏心及び傾きを調整しながら、第１のレンズ枠１０６、第２のレンズ枠１０７をレンズ枠支持部材１０５に取り付けることができる。
【００６６】
すなわち、レンズ枠支持部材１０５の光軸方向に隣接して２つの溝孔を配置する場合に比べて、レンズ枠支持部材１０５に設けられる溝孔を少なくすることできるとともに、レンズ群Ｌ３１、Ｌ３２の偏心及び傾きを調整することができる。そのため、レンズ枠支持部材１０５の光軸方向に隣接して２つの溝孔を配置することによる、レンズ光学系の設計が制約されて基本光学性能が劣化してしまったり、レンズ鏡筒１００のサイズが巨大化してしまったりすることを防ぐことができる。よって、レンズ光学系の設計の自由度を保ちつつ、且つレンズ鏡筒１００の巨大化を招くことなく、レンズ群Ｌ３１、Ｌ３２の偏心及び傾きを調整することができるレンズ鏡筒１００を提供することができる。
【００６７】
また、レンズ枠支持部材１０５の外周側に位置する溝孔１０５Ｄ、１０５Ｆの開口幅は、レンズ枠支持部材１０５の内周側に位置する溝孔１０５Ｅ、１０５Ｇの開口幅より大きい。これにより、レンズ枠支持部材１０５に対して外側から合成溝孔１０５Ａ、１０５Ｂを加工形成することができる。または、外側スライドコア方式の射出成型法により、合成溝孔１０５Ａ、１０５Ｂが形成されたレンズ枠支持部材１０５を成形することができる。
【００６８】
また、案内筒１０３、カム筒１０４に、レンズ枠支持部材１０５の合成溝孔１０５Ａ、１０５Ｂ、１０５Ｃに嵌合された円筒部材３０１、３０２、３０３に対して、案内筒１０３、カム筒１０４の外側から、円筒部材３０１、３０２、３０３を回動させるための所定の専用工具を着脱するための開口部１０３Ａ、１０４Ａが形成されている。
これにより、レンズ鏡筒１００の組立がほぼ完了した状態で、第３レンズ群Ｌ３及び第５レンズ群Ｌ５のレンズ群Ｌ５１の偏心及び傾きを調整することができる。
【００６９】
また、レンズ群Ｌ３１の傾きを調整することによってレンズ鏡筒１００が実装されるカメラ１の光学性能の指標値が変化する量が最も大きい位置にレンズ枠支持部材が位置する場合、すなわち、ズーム位置がワイド端である場合に、レンズ群Ｌ３１の傾きを調整するための円筒部材３０１に対して案内筒１０３、カム筒１０４の外側から所定の専用工具（図示省略）を着脱することができるように、案内筒１０３、カム筒１０４に開口部１０３Ａ、１０４Ａは形成されている。
また、レンズ群Ｌ３２の偏心を調整することによってレンズ鏡筒１００が実装されるカメラ１の光学性能の指標値が変化する量が最も大きい位置にレンズ枠支持部材が位置する場合、すなわち、ズーム位置がテレ端である場合に、レンズ群Ｌ３２の偏心を調整するための円筒部材３０２に対して案内筒１０３、カム筒１０４の外側から所定の専用工具（図示省略）を着脱することができるように、案内筒１０３、カム筒１０４に開口部１０３Ａ、１０４Ａは形成されている。
これにより、レンズ鏡筒１００の組立がほぼ完了した状態で、第３レンズ群Ｌ３の偏心及び傾きのうち、カメラ１の光学性能に最も大きく影響を与える調整成分を調整することができる。
【００７０】
実施の形態２．
実施の形態１においては、第３レンズ群Ｌ３及び第５レンズ群Ｌ５の物体側のレンズ群Ｌ５１を、偏心調整可能且つ傾き調整可能に支持する構造について説明したが、当該構造は、撮像素子を保持する撮像素子枠を支持する撮像素子枠支持部材にも応用することができる。以下、本発明の実施の形態２に係る撮像素子保持構造２１０について説明する。
【００７１】
図１６は、実施の形態２に係るカメラ１の内部構造を示す断面図である。なお、本実施の形態２において、カメラ１の左右方向をＸ軸とし、カメラ１の光軸方向をＹ軸とし、カメラ１の上下方向をＺ軸とする。また、図１６においては、説明簡単のため、断面を示すハッチングは一部省略されている。図１６に示すように、カメラ１は、レンズ鏡筒１００、カメラ本体２００等を備える。また、カメラ１は、カメラ本体２００に、撮像素子としてのイメージセンサ２０１、表示部としての液晶画面２０２等を備える。そして、図１６の矢印に示すように、レンズ鏡筒１００に配置されたレンズ群によって結像された像は、イメージセンサ２０１によって検出され、液晶画面２０２に表示される。イメージセンサ２０１は、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等である。
【００７２】
図１７、図１８に、実施の形態２に係る撮像素子保持構造２１０を示す。撮像素子保持構造２１０では、撮像素子枠支持部材２０８により、イメージセンサ２０１を保持する撮像素子枠２０５を支持する。図１８は、図１７のＡ−Ａ矢視断面図である。また、図１７の一点鎖線は、円筒部材３０４（後述）の回動軸を示す。図１６〜図１８に示すように、カメラ本体２００は、イメージセンサ２０１、液晶画面２０２、ローパスフィルタ２０３、基板２０４、撮像素子枠２０５、板部材２０６、緩衝部材２０７、撮像素子枠支持部材２０８等を備える。本実施の形態２において、撮像素子枠２０５及び撮像素子枠支持部材２０８は、略矩形形状の枠体である。また、撮像素子枠２０５は、撮像素子枠支持部材２０８の内部に収容可能な大きさとなっている。
【００７３】
撮像素子枠２０５内には、図１８に示すように、レンズ鏡筒１００側から液晶画面２０２側に向かって、ローパスフィルタ２０３、イメージセンサ２０１、基板２０４が配置されている。また、撮像素子枠２０５は、ローパスフィルタ２０３とイメージセンサ２０１との間に突起部２０５Ａを備え、当該突起部２０５Ａは、緩衝部材２０７を介してイメージセンサ２０１に当接している。また、ローパスフィルタ２０３は固定部材２０９により、突起部２０５Ａに当接するように固定されている。これにより、イメージセンサ２０１とローパスフィルタ２０３との間にゴミ等が侵入するのを防止している。
【００７４】
また、イメージセンサ２０１のレンズ鏡筒１００側の面に基板２０４が当接している。そして、ローパスフィルタ２０３、イメージセンサ２０１、基板２０４を保持した撮像素子枠２０５は、ネジ部品５００により板部材２０６に固定されている。
板部材２０６は、例えば、アルミ板等の金属板であり、中央部に略矩形形状の開口部２０６Ａを有している。
【００７５】
また、撮像素子枠２０５は、撮像素子枠支持部材２０８により支持されている。
撮像素子枠支持部材２０８には、撮像素子枠支持部材２０８の周方向の任意の位置であって少なくとも３つ以上の位置に、合成溝孔２０８Ａが当該撮像素子枠支持部材２０８を貫通するように形成されている。本実施の形態２においては、撮像素子枠支持部材２０８には、撮像素子枠支持部材２０８の上辺の中央部と、下辺の両端部に、３つの合成溝孔２０８Ａが形成されている。
【００７６】
また、撮像素子枠２０５には、撮像素子枠２０５の周方向の任意の位置であって少なくとも３つ以上の位置に、穴部２０５Ｂが形成されている。また、撮像素子枠２０５に形成される穴部２０５Ｂの位置は、撮像素子枠支持部材２０８に形成される合成溝孔２０８Ａの位置と相当する位置となっている。本実施の形態２においては、撮像素子枠２０５には、撮像素子枠２０５の上辺の中央部と、下辺の両端部に、３つの合成溝孔２０５Ｂが形成されている。なお、撮像素子枠支持部材２０８に合成溝孔２０８Ａが形成される位置、及び、撮像素子枠２０５に穴部２０５Ｂが形成される位置は、本実施の形態２に限定されるものではない。
【００７７】
そして、撮像素子枠支持部材２０８の合成溝孔２０８Ａ及び撮像素子枠２０５の穴部２０５Ｂに嵌合する円筒部材３０４をネジ部品４０４により固定することにより、撮像素子枠支持部材２０８の内側に撮像素子枠２０５が取り付けられる。
これにより、撮像素子枠支持部材２０８によって、イメージセンサ２０１が間接的に保持される。
【００７８】
合成溝孔２０８Ａは、実施の形態１に係る合成溝孔１０５Ａ、１０５Ｂ、１０５Ｃと同様の形状を有している。すなわち、合成溝孔２０８Ａは、それぞれ開口幅の異なる複数の溝孔が撮像素子枠支持部材２０８の肉厚方向に連通することにより形成されている。また、合成溝孔２０８Ａを構成する複数の溝孔のうち、少なくとも１つの溝孔２０８Ｂは、撮像素子枠支持部材２０８の周方向に平行に形成され、少なくとも１つの他の溝孔２０８Ｃは、カメラ１の光学系の光軸に平行に形成されている。具体的には、撮像素子枠支持部材２０８の外周側に位置する溝孔２０８Ｂは撮像素子枠支持部材２０８の周方向に平行に形成されており、撮像素子枠支持部材２０８の内周側に位置する溝孔２０８Ｃは撮像素子保持構造２１０の光軸に平行に形成されている。
【００７９】
また、撮像素子枠支持部材２０８の外周側に位置する溝孔２０８Ｂの開口幅は、撮像素子枠支持部材２０８の内周側に位置する溝孔２０８Ｃの開口幅より大きいことが好ましい。換言すれば、外周側に位置する溝孔２０８Ｂの開口面積は、内周側に位置する溝孔２０８Ｃの開口面積より小さくなっていることが好ましい。
【００８０】
合成溝孔２０８Ａに嵌合する円筒部材３０４は、実施の形態１に係る円筒部材３０１、３０２、３０３と同様の形状を有している。すなわち、撮像素子枠支持部材２０８の周方向の任意の位置であって少なくとも３つ以上の位置に形成された合成溝孔２０８Ａにそれぞれ嵌合する３つ以上の円筒部材３０４のうち少なくとも２つの円筒部材３０４は、第１の円筒部３０４Ａ（偏心円筒部）、第２の円筒部３０４Ｂ（同心円筒部）を備える。第１の円筒部３０４Ａは、円筒部材３０４の回動軸（図１７の一点鎖線）に対して偏心しており、第２の円筒部３０４Ｂは、円筒部材３０４の回動軸に対して同心となっている。
【００８１】
具体的には、本実施の形態２では、３つの円筒部材３０４は、それぞれ、第１の円筒部３０４Ａ、第２の円筒部３０４Ｂ、第３の円筒部３０４Ｃを備えている。また、第１の円筒部３０４Ａ、第２の円筒部３０４Ｂ、第３の円筒部３０４Ｃは、この順に、円筒部材３０４が合成溝孔２０８Ａに篏合される方向に沿って配置されている。換言すれば、円筒部材３０４が合成溝孔２０８Ａに篏合された際、第１の円筒部３０４Ａの外周面は、合成溝孔２０８Ａの溝孔２０８Ｂの内周面に当接する。また、円筒部材３０４が合成溝孔２０８Ａに篏合された際、第２の円筒部３０４Ｂの外周面は、合成溝孔２０８Ａの溝孔２０８Ｃの内周面に当接する。また、円筒部材３０４が合成溝孔２０８Ａに篏合された際、第３の円筒部３０４Ｃの外周面は、撮像素子枠２０５の穴部２０５Ｂの内周面に当接する。
【００８２】
また、円筒部材３０４が合成溝孔２０８Ａに篏合された際、円筒部材３０４の回動軸に対して偏心している第１の円筒部３０４Ａの外周面が、撮像素子枠支持部材２０８の周方向に平行に形成された溝孔２０８Ｂの内周面に当接している。そのため、ネジ部品４０４による合成溝孔２０８Ａに対する円筒部材３０４の固定を緩めた状態で、所定の専用工具（図示省略）を用いて円筒部材３０４を回動させると、撮像素子枠２０５がカメラ１の光学系の光軸方向に沿って傾く。そして、撮像素子枠支持部材２０８の周方向に等間隔に設けられた３つの合成溝孔２０８Ａのそれぞれに篏合された円筒部材３０４を回動させることにより、カメラ１の光学系の光軸に対して撮像素子枠２０５の傾きを所望の傾きに調整することができる。換言すれば、撮像素子枠支持部材２０８の周方向に設けられた３つの合成溝孔２０８Ａのそれぞれに篏合された円筒部材３０４を回動させることにより、イメージセンサ２０１の傾きを調整することができる。
【００８３】
また、円筒部材３０４の回動軸に対して偏心している第１の円筒部３０４Ａの高さは、円筒部材３０４の回動軸に対して同心となっている第２の円筒部３０４Ｂの高さに比べて著しく低くなっている。これにより、合成溝孔２０８Ａに篏合された円筒部材３０４が回動することによって、回動軸に対して偏心している第１の円筒部３０４Ａと合成溝孔２０８Ａの溝孔２０８Ｂとの間に生じる応力を最小限に抑えることができる。
【００８４】
なお、本実施の形態２では、第１の円筒部３０４Ａの高さ及び第２の円筒部３０４Ｂの高さに合わせて、合成溝孔２０８Ａの溝孔２０８Ｂの深さは、溝孔２０８Ｃの深さに比べて著しく浅くなっている。これにより、合成溝孔２０８Ａに篏合された円筒部材３０４が回動することによって、第１の円筒部３０４Ａと溝孔２０８Ｂとの間に生じる応力をより確実に抑えることができる。
しかし、合成溝孔２０８Ａの溝孔２０８Ｂの深さは、溝孔２０８Ｃの深さと略同じであってもよい。溝孔２０８Ｂの深さが溝孔２０８Ｃの深さと略同じである場合、回動軸に偏心している円筒部の外周面が光軸に平行に形成された溝孔２０８Ｃの内周面に当接する円筒部材を合成溝孔２０８Ａに篏合させて回動させることにより、撮像素子枠２０５の偏心を調整することができる。そのため、撮像素子枠支持部材２０８の周方向の任意の位置に３つ以上の合成溝孔２０８Ａを１組設けることにより、撮像素子枠２０５の傾き及び偏心の何れも調整することができる。換言すれば、撮像素子枠支持部材２０８の周方向の任意の位置に設けられた１組の合成溝孔２０８Ａに、回動軸に対して偏心している円筒部を少なくとも１つ有する円筒部材を篏合させて回動することにより、イメージセンサ２０１の傾き及び偏心の何れも調整することができる。
【００８５】
また、第１の円筒部３０４Ａは、円筒部材３０４の回動軸に対して同心となっていてもよい。換言すれば、第１の円筒部３０４Ａ、第２の円筒部３０４Ｂ、第３の円筒部３０４Ｃは、円筒部材３０４の回動軸に対して同心となっていてもよい。この場合には、円筒部材３０４を合成溝孔２０８Ａに篏合させて回動させてもイメージセンサ２０１の傾き及び偏心を調整することはできない。
【００８６】
しかし、撮像素子枠支持部材２０８を製造した後に、当該撮像素子枠支持部材２０８に形成された合成溝孔２０８Ａの溝孔２０８Ｂ、２０８Ｃの形状を補正することにより、イメージセンサ２０１の傾き及び偏心を補正することができる。例えば、撮像素子枠支持部材２０８の金型を修正することにより、合成溝孔２０８Ａの溝孔２０８Ｂ、２０８Ｃの形状を補正する。
【００８７】
このとき、撮像素子枠支持部材２０８に合成溝孔２０８Ａの代わりに、単純な円筒状の孔を設けた場合、当該孔の撮像素子枠支持部材２０８の周方向の位置のみを変化させてイメージセンサ２０１の偏心を調整しようと撮像素子枠支持部材２０８の金型を修正しても、当該孔の撮像素子枠支持部材２０８の光軸方向の位置も変化してしまって、イメージセンサ２０１の傾きも変化してしまったりする虞がある。また、当該孔の撮像素子枠支持部材２０８の光軸方向の位置のみを変化させてイメージセンサ２０１の傾きを調整しようと撮像素子枠支持部材２０８の金型を修正しても、当該孔の周方向の位置も変化してしまって、イメージセンサ２０１の偏心も変化してしまったりする虞がある。
【００８８】
一方、撮像素子枠支持部材２０８に合成溝孔２０８Ａを形成している場合、撮像素子枠支持部材２０８の周方向に平行に形成された溝孔２０８Ｂの形状のみを変化させるように金型を修正して、イメージセンサ２０１の傾きのみを調整することができる。また、光軸方向に平行に形成された溝孔２０８Ｃの形状のみを変化させるように金型を修正して、イメージセンサ２０１の偏心のみを調整することができる。
すなわち、イメージセンサ２０１の偏心と傾きとのいずれか一方のみの調整を他方に影響を与えることなく行うことができる。これにより、撮像素子枠支持部材２０８を製造した後に、撮像素子枠支持部材２０８に形成された合成溝孔２０８Ａの形状を補正することにより、より精密に、イメージセンサ２０１の偏心及び傾きを調整することができる。
【００８９】
そして、撮像素子枠支持部材２０８の組立がほぼ完了した状態において、所定の専用工具（図示省略）を用いて円筒部材３０４を回動させることにより、イメージセンサ２０１の傾きを調整することができる。ここで、撮像素子枠支持部材２０８の組立がほぼ完了した状態とは、撮像素子枠２０５にローパスフィルタ２０３、イメージセンサ２０１、基板２０４を取り付け、当該撮像素子枠２０５をネジ部品５００により板部材２０６に固定し、当該撮像素子枠２０５を撮像素子枠支持部材２０８に取り付けた状態であって、合成溝孔２０８Ａに円筒部材３０４を嵌合し、円筒部材３０４及び穴部２０５Ｂにネジ部品４０４を緩く締結した状態である。ここで、円筒部材３０４及び穴部２０５Ｂにネジ部品４０４を緩く締結した状態とは、合成溝孔２０８Ａに嵌合した円筒部材３０４が回動可能なように、円筒部材３０４及び穴部２０５Ｂにネジ部品４０４を締結した状態を意味する。
【００９０】
以上に説明した本発明の実施の形態２に係る撮像素子枠支持部材２０８によれば、合成溝孔２０８Ａを構成する複数の溝孔２０８Ｂ、２０８Ｃのうち、撮像素子枠支持部材２０８の周方向に平行に形成された溝孔２０８Ｂに、円筒部材３０４の回転軸に対して偏心している第１の円筒部３０４Ａを篏合させて、円筒部材３０４を回動させることにより、イメージセンサ２０１の傾きを調整しながら、イメージセンサ２０１を保持した撮像素子枠２０５を撮像素子枠支持部材２０８に取り付けることができる。
なお、円筒部材３０４の回動軸に対して第２の円筒部３０４Ｂを偏心させることにより、当該第２の円筒部３０４Ｂを光軸に平行に形成された溝孔２０８Ｃに嵌合させて、円筒部材３０４を回動させることにより、イメージセンサ２０１の偏心を調整しながら、イメージセンサ２０１を保持した撮像素子枠２０５を撮像素子枠支持部材２０８に取り付けることができる。
【００９１】
換言すれば、イメージセンサ２０１を保持する撮像素子枠２０５に対して、撮像素子枠支持部材２０８の周方向の任意の位置であって少なくとも３つ以上の位置のそれぞれに、レンズ枠支持部材２０８の光軸方向に隣接して、イメージセンサ２０１の偏心を調整するための溝孔と、イメージセンサ２０１の傾きを調整するための溝孔と、を設けなくても、レンズ枠支持部材２０８の周方向の任意の位置であって少なくなくとも３つ以上の位置に１つの合成溝孔２０８Ａを設けるだけで、イメージセンサ２０１の偏心及び傾きを調整しながら、撮像素子枠２０５を撮像素子枠支持部材２０８に取り付けることができる。
【００９２】
すなわち、撮像素子枠支持部材２０８の光軸方向に隣接して２つの溝孔を配置する場合に比べて、撮像素子枠支持部材２０８に設けられる溝孔を少なくすることできるとともに、イメージセンサ２０１の偏心及び傾きを調整することができる。そのため、撮像素子枠支持部材２０８の光軸方向に隣接して２つの溝孔を配置することによる、カメラ本体２００内部の設計が制約されたり、カメラ本体２００のサイズが巨大化してしまったりすることを防ぐことができる。よって、カメラ本体２００の設計の自由度を保ちつつ、且つカメラ本体２００の巨大化を招くことなく、イメージセンサ２０１の偏心及び傾きを調整することができる撮像素子保持構造２１０を提供することができる。
【００９３】
また、撮像素子枠支持部材２０８の外周側に位置する溝孔２０８Ｂの開口幅は、撮像素子枠支持部材２０８の内周側に位置する溝孔２０８Ｃの開口幅より大きい。これにより、撮像素子枠支持部材２０８に対して外側から合成溝孔２０８Ａを加工形成することができる。または、外側スライドコア方式の射出成型法により、合成溝孔２０８Ａが形成された撮像素子枠支持部材２０８を成形することができる。
【００９４】
実施の形態３．
実施の形態１にかかるレンズ群を、偏心調整可能且つ傾き調整可能に支持する構造は、電子ビューファインダにおける表示素子を保持する表示素子枠を支持する表示素子枠支持部材にも応用することができる。以下、本発明の実施の形態３に係る電子ビューファインダ６００について説明する。
【００９５】
図１９は、実施の形態３に係るカメラ１の内部構造を示す断面図である。なお、本実施の形態３において、カメラ１の左右方向をＸ軸とし、カメラ１の光軸方向をＹ軸とし、カメラ１の上下方向をＺ軸とする。また、図１９においては、説明簡単のため、断面を示すハッチングは一部省略されている。図１９に示すように、カメラ１は、レンズ鏡筒１００、カメラ本体２００、電子ビューファインダ６００等を備える。また、カメラ１は、カメラ本体２００に、撮像素子としてのイメージセンサ２０１、表示部としての液晶画面２０２等を備える。そして、図１９の矢印に示すように、レンズ鏡筒１００に配置されたレンズ群によって結像された像は、イメージセンサ２０１によって検出され、液晶画面２０２に表示される。イメージセンサ２０１は、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等である。また、イメージセンサ２０１によって検出されて生成された像データは、電子ビューファインダ６００に入力される。
【００９６】
図２０、図２１に、実施の形態３に係る電子ビューファインダ６００における表示素子６０１の保持構造を示す。図２１は、図２０のＢ−Ｂ矢視断面図である。また、図２０の一点鎖線は、円筒部材３０５（後述）の回動軸を示す。図１９〜図２１に示すように、電子ビューファインダ６００は、基板６０１、表示素子６０２、レンズ６０３〜６０５、表示素子枠６０６、表示素子枠支持部材６０７等を備える。本実施の形態３において、表示素子枠６０６及び表示素子枠支持部材６０７は、略矩形形状の枠体である。また、表示素子枠６０６は、表示素子枠支持部材６０７の内部に収容可能な大きさとなっている。
【００９７】
表示素子枠６０６内には、図２１に示すように、レンズ鏡筒１００側から液晶画面２０２側に向かって、基板６０１、表示素子６０２が配置されている。また、表示素子枠６０６は、表示素子６０２の液晶画面２００側に突起部６０６Ａを備え、表示素子６０２は、当該突起部６０６Ａと基板６０１との間に挟まれている。また、表示素子枠支持部材６０７には、レンズ鏡筒１００側から液晶画面２０２側に向かって、表示素子枠６０６、レンズ６０３〜６０５が配置されている。
【００９８】
表示素子枠支持部材６０７には、表示素子枠支持部材６０７の周方向の任意の位置であって少なくとも３つ以上の位置に、合成溝孔６０７Ａが当該表示素子枠支持部材６０７を貫通するように形成されている。本実施の形態３においては、表示素子枠支持部材６０７には、表示素子枠支持部材６０７の上辺の中央部と、下辺の両端部に、３つの合成溝孔６０７Ａが形成されている。
【００９９】
また、表示素子枠６０６には、表示素子枠６０６の周方向の任意の位置であって少なくとも３つ以上の位置に、穴部６０６Ｂが形成されている。また、表示素子枠６０６に形成される穴部６０６Ｂの位置は、表示素子枠支持部材６０７に形成される合成溝孔６０７Ａの位置と相当する位置となっている。本実施の形態３においては、撮像素子枠６０６には、撮像素子枠６０６の上辺の中央部と、下辺の両端部に、３つの合成溝孔６０６Ｂが形成されている。なお、撮像素子枠支持部材６０７に合成溝孔６０７Ａが形成される位置、及び、撮像素子枠６０６に穴部６０６Ｂが形成される位置は、本実施の形態３に限定されるものではない。
【０１００】
そして、表示素子枠支持部材６０７の合成溝孔６０７Ａ及び表示素子枠６０６の穴部６０６Ｂに嵌合する円筒部材３０５をネジ部品４０５により固定することにより、表示素子枠支持部材６０７の内側に表示素子枠６０６が取り付けられる。
これにより、表示素子枠支持部材６０７によって、表示素子６０２が間接的に保持される。
【０１０１】
合成溝孔６０７Ａは、実施の形態２に係る合成溝孔２０８Ａと同様の形状を有している。すなわち、合成溝孔６０７Ａは、それぞれ開口幅の異なる複数の溝孔が表示素子枠支持部材６０７の肉厚方向に連通することにより形成されている。また、合成溝孔６０７Ａを構成する複数の溝孔のうち、少なくとも１つの溝孔６０７Ｂは、表示素子枠支持部材６０７の周方向に平行に形成され、少なくとも１つの他の溝孔６０７Ｃは、電子ビューファインダ６００の光学系の光軸に平行に形成されている。具体的には、表示素子枠支持部材６０７の外周側に位置する溝孔６０７Ｂは表示素子枠支持部材６０７の周方向に平行に形成されており、表示素子枠支持部材６０７の内周側に位置する溝孔６０７Ｃは電子ビューファインダ６００の光軸に平行に形成されている。
【０１０２】
また、表示素子枠支持部材６０７の外周側に位置する溝孔６０７Ｂの開口幅は、表示素子枠支持部材６０７の内周側に位置する溝孔６０７Ｃの開口幅より大きいことが好ましい。換言すれば、外周側に位置する溝孔６０７Ｂの開口面積は、内周側に位置する溝孔６０７Ｃの開口面積より小さくなっていることが好ましい。
【０１０３】
合成溝孔６０７Ａに嵌合する円筒部材３０５は、実施の形態２に係る円筒部材３０４と同様の形状を有している。すなわち、表示素子枠支持部材６０７の周方向の任意の位置であって少なくとも３つ以上の位置に形成された合成溝孔６０７Ａにそれぞれ嵌合する３つ以上の円筒部材３０５のうち少なくとも２つの円筒部材３０５は、第１の円筒部３０５Ａ（偏心円筒部）、第２の円筒部３０５Ｂ（同心円筒部）、第３の円筒部３０５Ｃを備える。第１の円筒部３０５Ａは、円筒部材３０５の回動軸（図２０の一点鎖線）に対して偏心しており、第２の円筒部３０５Ｂ及び第３の円筒部３０５Ｃは、円筒部材３０５の回動軸に対して同心となっている。
【０１０４】
また、第１の円筒部３０５Ａ、第２の円筒部３０５Ｂ、第３の円筒部３０５Ｃは、この順に、円筒部材３０５が合成溝孔６０７Ａに篏合される方向に沿って配置されている。換言すれば、円筒部材３０５が合成溝孔６０７Ａに篏合された際、第１の円筒部３０５Ａの外周面は、合成溝孔６０７Ａの溝孔６０７Ｂの内周面に当接する。また、円筒部材３０５が合成溝孔６０７Ａに篏合された際、第２の円筒部３０５Ｂの外周面は、合成溝孔６０７Ａの溝孔６０７Ｃの内周面に当接する。また、円筒部材３０５が合成溝孔６０７Ａに篏合された際、第３の円筒部３０５Ｃの外周面は、表示素子枠６０６の穴部６０６Ｂの内周面に当接する。
【０１０５】
また、円筒部材３０５が合成溝孔６０７Ａに篏合された際、円筒部材３０５の回動軸に対して偏心している第１の円筒部３０５Ａの外周面が、表示素子枠支持部材６０７の周方向に平行に形成された溝孔６０７Ｂの内周面に当接している。そのため、ネジ部品４０５による合成溝孔６０７Ａに対する円筒部材３０５の固定を緩めた状態で、所定の専用工具（図示省略）を用いて円筒部材３０５を回動させると、表示素子枠６０６が電子ビューファインダ６００の光学系の光軸方向に沿って傾く。そして、表示素子枠支持部材６０７の周方向に等間隔に設けられた３つの合成溝孔６０７Ａのそれぞれに篏合された円筒部材３０５を回動させることにより、電子ビューファインダ６００の光学系の光軸に対して表示素子枠６０６の傾きを所望の傾きに調整することができる。換言すれば、表示素子枠支持部材６０７の周方向に設けられた３つの合成溝孔６０７Ａのそれぞれに篏合された円筒部材３０５を回動させることにより、表示素子６０２の傾きを調整することができる。
【０１０６】
また、円筒部材３０５の回動軸に対して偏心している第１の円筒部３０５Ａの高さは、円筒部材３０５の回動軸に対して同心となっている第２の円筒部３０５Ｂの高さに比べて著しく低くなっている。これにより、合成溝孔６０７Ａに篏合された円筒部材３０５が回動することによって、回動軸に対して偏心している第１の円筒部３０５Ａと合成溝孔６０７Ａの溝孔６０７Ｂとの間に生じる応力を最小限に抑えることができる。
【０１０７】
また、本実施の形態３では、第１の円筒部３０５Ａの高さ及び第２の円筒部３０５Ｂの高さに合わせて、合成溝孔６０７Ａの溝孔６０７Ｂの深さは、溝孔６０７Ｃの深さに比べて著しく浅くなっている。これにより、合成溝孔６０７Ａに篏合された円筒部材３０５が回動することによって、第１の円筒部３０５Ａと溝孔６０７Ｂとの間に生じる応力をより確実に抑えることができる。
なお、実施の形態２と同様に、合成溝孔６０７Ａの溝孔６０７Ｂの深さは、溝孔６０７Ｃの深さと略同じであってもよい。
【０１０８】
また、実施の形態２と同様に、第１の円筒部３０５Ａは、円筒部材３０５の回動軸に対して同心となっていてもよい。換言すれば、第１の円筒部３０５Ａ、第２の円筒部３０５Ｂ、第３の円筒部３０５Ｃは、円筒部材３０５の回動軸に対して同心となっていてもよい。この場合には、円筒部材３０５を合成溝孔６０７Ａに篏合させて回動させても表示素子６０２の傾き及び偏心を調整することはできない。
【０１０９】
しかし、表示素子枠支持部材６０７を製造した後に、当該表示素子枠支持部材６０７に形成された合成溝孔６０７Ａの溝孔６０７Ｂ、６０７Ｃの形状を補正することにより、表示素子６０２の傾き及び偏心を補正することができる。例えば、表示素子枠支持部材６０７の金型を修正することにより、合成溝孔６０７Ａの溝孔６０７Ｂ、６０７Ｃの形状を補正する。
【０１１０】
具体的には、表示素子枠支持部材６０７の周方向に平行に形成された溝孔６０７Ｂの形状のみを変化させるように金型を修正して、表示素子６０２の傾きのみを調整することができる。また、光軸方向に平行に形成された溝孔６０７Ｃの形状のみを変化させるように金型を修正して、表示素子６０２の偏心のみを調整することができる。
すなわち、表示素子６０２の偏心と傾きとのいずれか一方のみの調整を他方に影響を与えることなく行うことができる。これにより、表示素子枠支持部材６０７を製造した後に、表示素子枠支持部材６０７に形成された合成溝孔６０７Ａの形状を補正することにより、より精密に、表示素子６０２の偏心及び傾きを調整することができる。
【０１１１】
そして、表示素子枠支持部材６０７の組立がほぼ完了した状態において、所定の専用工具（図示省略）を用いて円筒部材３０５を回動させることにより、表示素子６０２の傾きを調整することができる。ここで、表示素子枠支持部材６０７の組立がほぼ完了した状態とは、表示素子枠６０６に基板６０１、表示素子６０２を取り付け、当該表示素子枠６０６及びレンズ６０３〜６０５を表示素子枠支持部材６０７に取り付けた状態であって、合成溝孔６０７Ａに円筒部材３０５を嵌合し、円筒部材３０５及び穴部６０６Ｂにネジ部品４０５を緩く締結した状態である。ここで、円筒部材３０５及び穴部６０６Ｂにネジ部品４０５を緩く締結した状態とは、合成溝孔６０７Ａに嵌合した円筒部材３０５が回動可能なように、円筒部材３０５及び穴部６０６Ｂにネジ部品４０５を締結した状態を意味する。
【０１１２】
以上に説明した本発明の実施の形態３に係る電子ビューファインダ６００によれば、合成溝孔６０７Ａを構成する複数の溝孔６０７Ｂ、６０７Ｃのうち、表示素子枠支持部材６０７の周方向に平行に形成された溝孔６０７Ｂに、円筒部材３０５の回転軸に対して偏心している第１の円筒部３０５Ａを篏合させて、円筒部材３０５を回動させることにより、表示素子６０２の傾きを調整しながら、表示素子６０２を保持した表示素子枠６０６を表示素子枠支持部材６０７に取り付けることができる。
なお、円筒部材３０５の回動軸に対して第２の円筒部３０５Ｂを偏心させることにより、当該第２の円筒部３０５Ｂを光軸に平行に形成された溝孔６０７Ｃに嵌合させて、円筒部材３０５を回動させることにより、表示素子６０２の偏心を調整しながら、表示素子６０２を保持した表示素子枠６０６を表示素子枠支持部材６０７に取り付けることができる。
【０１１３】
換言すれば、表示素子６０２を保持する表示素子枠６０６に対して、表示素子枠支持部材６０７の周方向の任意の位置であって少なくとも３つ以上の位置のそれぞれに、レンズ枠支持部材２０８の光軸方向に隣接して、表示素子６０２の偏心を調整するための溝孔と、表示素子６０２の傾きを調整するための溝孔と、を設けなくても、レンズ枠支持部材２０８の周方向の任意の位置であって少なくなくとも３つ以上の位置に１つの合成溝孔６０７Ａを設けるだけで、表示素子６０２の偏心及び傾きを調整しながら、表示素子枠６０６を表示素子枠支持部材６０７に取り付けることができる。
【０１１４】
すなわち、表示素子枠支持部材６０７の光軸方向に隣接して２つの溝孔を配置する場合に比べて、表示素子枠支持部材６０７に設けられる溝孔を少なくすることできるとともに、表示素子６０２の偏心及び傾きを調整することができる。そのため、表示素子枠支持部材６０７の光軸方向に隣接して２つの溝孔を配置することによる、電子ビューファインダ６００内部の設計が制約されたり、電子ビューファインダ６００のサイズが巨大化してしまったりすることを防ぐことができる。よって、電子ビューファインダ６００の設計の自由度を保ちつつ、且つ電子ビューファインダ６００の巨大化を招くことなく、表示素子６０２の偏心及び傾きを調整することができる表示素子枠支持部材６０７を提供することができる。
【０１１５】
また、表示素子枠支持部材６０７の外周側に位置する溝孔６０７Ｂの開口幅は、表示素子枠支持部材６０７の内周側に位置する溝孔６０７Ｃの開口幅より大きい。これにより、表示素子枠支持部材６０７に対して外側から合成溝孔６０７Ａを加工形成することができる。または、外側スライドコア方式の射出成型法により、合成溝孔６０７Ａが形成された表示素子枠支持部材６０７を成形することができる。
【０１１６】
以上、本発明者によってなされた発明を実施の形態に基づき具体的に説明したが、本発明は上述の実施の形態に限定されるものではなく、趣旨を逸脱しない範囲において種々の変更が可能であることはいうまでもない。例えば、第１のレンズ枠１０６、第２のレンズ枠１０７、第３のレンズ枠１０８によって保持されるのは、レンズ群に限定されるものではなく、例えば、フィルタ部材、回折光学素子等の他の光学素子であってもよい。
また、レンズ群Ｌ３１、Ｌ３２の偏心及び傾きを調整することによって、カメラ１の光学性能の指標値が変化する量が所定量より大きい位置にレンズ枠支持部材１０５が位置する場合は、ズーム位置がワイド端及びテレ端である場合に限定されるものではない。
【符号の説明】
【０１１７】
１  カメラ（光学機器）
１００  レンズ鏡筒
１０３  案内筒（構成部材）
１０３Ａ  開口部
１０４  カム筒（構成部材）
１０４Ａ  開口部
１０５  レンズ枠支持部材
１０５Ａ、１０５Ｂ、１０５Ｃ  合成溝孔
１０５Ｄ、１０５Ｅ、１０５Ｆ、１０５Ｇ  溝孔
１０６  第１のレンズ枠（レンズ枠）
１０７  第２のレンズ枠（レンズ枠）
１０８  第３のレンズ枠（レンズ枠）
２００  カメラ本体
２０１  イメージセンサ（撮像素子）
２０５  撮像素子枠
２０８  撮像素子枠支持部材
２０８Ａ  合成溝孔
２０８Ｂ、２０８Ｃ  溝孔
２１０  撮像素子保持構造
３０１、３０２、３０３、３０４、３０５  円筒部材
３０１Ａ  第１の円筒部（偏心円筒部）
３０１Ｂ  第２の円筒部（同心円筒部）
３０２Ａ  第１の円筒部（同心円筒部）
３０２Ｂ  第２の円筒部（偏心円筒部）
３０４Ａ  第１の円筒部（偏心円筒部）
３０４Ｂ  第２の円筒部（同心円筒部）
３０５Ａ  第１の円筒部（偏心円筒部）
３０５Ｂ  第２の円筒部（同心円筒部）
６００  電子ビューファインダ
６０２  表示素子
６０６  表示素子枠
６０７  表示素子枠支持部材
６０７Ａ  合成溝孔
６０７Ｂ、６０７Ｃ  溝孔
【図１】
2015179238.tif 000003
【図２】
2015179238.tif 000004
【図３】
2015179238.tif 000005
【図４】
2015179238.tif 000006
【図５】
2015179238.tif 000007
【図６】
2015179238.tif 000008
【図７】
2015179238.tif 000009
【図８】
2015179238.tif 000010
【図９】
2015179238.tif 000011
【図１０】
2015179238.tif 000012
【図１１】
2015179238.tif 000013
【図１２】
2015179238.tif 000014
【図１３】
2015179238.tif 000015
【図１４】
2015179238.tif 000016
【図１５】
2015179238.tif 000017
【図１６】
2015179238.tif 000018
【図１７】
2015179238.tif 000019
【図１８】
2015179238.tif 000020
【図１９】
2015179238.tif 000021
【図２０】
2015179238.tif 000022
【図２１】
2015179238.tif 000023